(57)【要約】【課題】飲料容器内のガスの圧力を適正圧力となるように制御する飲料注出装置において、飲料を注出していないときに飲料容器内の飲料に過剰にガスが溶け込まないようにする。【解決手段】飲料注出装置１０の制御装置５０は、調圧制御手段により圧力センサ２２による飲料容器Ｔ内のガスの計測圧力が適正圧力算出手段により算出した適正圧力となるように圧力調整弁２１を開閉するように制御しており、制御装置５０は飲料を注出したときに圧力センサ２２によるガスの計測圧力が所定時間内に所定圧力低下することの入力により注出モードであると判断し、調圧制御手段により飲料容器Ｔ内のガスの圧力を調圧制御し、飲料を注出しないときに圧力センサ２２によるガスの計測圧力が所定時間内に所定圧力低下しないことの入力により待機モードであると判断して調圧制御手段を実行せずに圧力調整弁２１を閉弁するように制御する。【選択図】図４
2010132341.tif 000002
【特許請求の範囲】
【請求項１】
所定圧力のガス供給源から飲料を貯える密閉した飲料容器にガスを供給するガス供給導管に設けられて前記飲料容器内のガスの圧力を計測する圧力センサと、
前記ガス供給導管に設けられて前記飲料容器に供給するガスの圧力を調整する圧力調整弁と、
前記飲料容器から飲料を導出する飲料供給導管に接続されて飲料を注出する飲料注出手段と、
前記飲料供給導管に設けられて前記飲料容器から導出する飲料の温度を計測する飲料温度センサと、
前記飲料温度センサによる飲料の計測温度から前記飲料容器に供給するガスの適正圧力を算出する適正圧力算出手段と、前記圧力センサによる前記飲料容器内のガスの計測圧力が前記適正圧力算出手段により算出した適正圧力となるように前記圧力調整弁を開閉するように制御する調圧制御手段とを有する制御装置とを備えた飲料注出装置において、
前記制御装置は、前記飲料注出手段により飲料を注出する注出モードであるときに前記飲料容器内のガスの圧力が前記調圧制御手段により前記適正圧力となるように制御し、前記飲料注出手段により飲料を注出しない待機モードであるときに前記調圧制御手段を実行せずに圧力調整弁を閉弁するように制御したことを特徴とする飲料注出装置。
【請求項２】
前記制御装置は、前記飲料注出手段により飲料を注出したときに前記圧力センサによって入力されるガスの計測圧力が所定時間内に所定圧力低下すると前記注出モードであると判断し、前記飲料注出手段により飲料を注出しないときに前記圧力センサによって入力されるガスの計測圧力が所定時間内に所定圧力低下しないと前記待機モードと判断することを特徴とする請求項１に記載の飲料注出装置。
【請求項３】
前記制御装置は前記注出モードであるときに前記飲料温度センサにより計測された飲料の計測温度により前記適正圧力算出手段を実行するように制御し、前記待機モードであるときに前記飲料温度センサにより計測された飲料の計測温度により前記適正圧力算出手段を実行しないように制御したことを特徴とする請求項１または請求項２に記載の飲料注出装置。
【発明の詳細な説明】
【技術分野】
【０００１】
本発明は、飲料容器内のガスの圧力を適正圧力となるように制御する制御装置を備えた飲料注出装置に関するものである。
【背景技術】
【０００２】
特許文献１には、所定圧力の炭酸ガスの供給源から発泡飲料を貯える密閉した飲料容器に炭酸ガスを供給するガス供給導管に設けられて飲料容器内の炭酸ガスの圧力を計測する圧力センサと、ガス供給導管に設けられて飲料容器に供給する炭酸ガスの圧力を調整する圧力調整弁と、飲料容器から発泡飲料を導出する飲料供給導管に接続されて発泡飲料を注出する飲料注出手段と、飲料供給導管に設けられて飲料容器から導出する発泡飲料の温度を計測する飲料温度センサと、飲料温度センサによる発泡飲料の計測温度から飲料容器に供給する炭酸ガスの適正圧力を算出する適正圧力算出手段と、圧力センサによる飲料容器内の炭酸ガスの計測圧力が適正圧力算出手段により算出した適正圧力となるように圧力調整弁を開閉するように制御する調圧制御手段とを有する制御装置とを備えた飲料注出装置が開示されている。
【特許文献１】実用新案登録第２５１７８２４号公報
【発明の開示】
【発明が解決しようとする課題】
【０００３】
特許文献１の飲料注出装置においては、制御装置は圧力センサによる炭酸ガスの計測圧力が適正圧力算出手段により算出した適正圧力となるように圧力調整弁を開閉するように制御しているが、飲料注出手段により発泡飲料を注出しない時間が長くなると、飲料容器内の発泡飲料に過剰に炭酸ガスが溶け込むこととなり、炭酸ガスが過剰に溶け込んだ状態で発泡飲料を注出すると、発泡飲料が過剰に発泡した状態となって注出されることになっていた。
【０００４】
また、飲料温度センサは飲料供給導管に設けられているので、飲料注出手段により発泡飲料を注出しない時間が長くなって飲料供給導管内の発泡飲料が滞留した状態となることがあり、飲料供給導管内の発泡飲料は外気の温度の影響を受けて飲料容器内の発泡飲料より高い温度となることがある。このような状態で、飲料温度センサにより計測した発泡飲料の温度から適正圧力算出手段により飲料容器に供給する炭酸ガスの適正圧力を算出すると、算出された適正圧力は実際の飲料容器内の飲料の温度から算出される適正圧力より高い圧力が算出され、飲料容器内の発泡飲料は炭酸ガスが過剰に供給されることになり、飲料注出手段から飲料を注出するときに発泡飲料が吹き出したりすることがあった。本発明は、このような問題を解決することを目的とする。
【課題を解決するための手段】
【０００５】
本発明は上記課題を解決するため、所定圧力のガス供給源から飲料を貯える密閉した飲料容器にガスを供給するガス供給導管に設けられて飲料容器内のガスの圧力を計測する圧力センサと、ガス供給導管に設けられて飲料容器に供給するガスの圧力を調整する圧力調整弁と、飲料容器から飲料を導出する飲料供給導管に接続されて飲料を注出する飲料注出手段と、飲料供給導管に設けられて飲料容器から導出する飲料の温度を計測する飲料温度センサと、飲料温度センサによる飲料の計測温度から飲料容器に供給するガスの適正圧力を算出する適正圧力算出手段と、圧力センサによる飲料容器内のガスの計測圧力が適正圧力算出手段により算出した適正圧力となるように圧力調整弁を開閉するように制御する調圧制御手段とを有する制御装置とを備えた飲料注出装置において、制御装置は、飲料を注出する注出モードであるときに調圧制御手段により適正圧力となるように制御し、飲料を注出しない待機モードであるときに調圧制御手段を実行せずに圧力調整弁を閉弁するように制御したことを特徴とする飲料注出装置を提供するものである。
【０００６】
上記のように構成した飲料注出装置においては、制御装置は、飲料注出手段により飲料を注出する注出モードであるときに飲料容器内のガスの圧力が調圧制御手段により適正圧力となるように制御し、飲料注出手段により飲料を注出しない待機モードであるときに調圧制御手段を実行せずに圧力調整弁を閉弁するように制御しているので、注出モードであるときには飲料容器内の飲料は調圧制御手段によりガスが適正圧力となるように制御された状態で飲料注出手段から注出され、待機モードであるときには調圧制御手段が実行されずに圧力調整弁が閉弁されているので飲料容器内の飲料には過剰にガスが溶け込むことがない。また、上記の飲料注出装置は、特に炭酸ガスを含むビール等の発泡飲料を注出するときに最適の効果を得ることができ、注出モードであるときには、調圧制御手段により適正圧力となるように制御されているので適度な量の炭酸ガスを含むビール等の発泡飲料を注出することができ、待機モードのときには、圧力調整弁が閉弁されているので飲料容器内のビール等の発泡飲料には過剰に炭酸ガスが溶け込むことがなく、飲料注出手段からビール等の発泡飲料を注出するときにビール等の発泡飲料が吹き出したり、泡過多な状態で注出されることがない。
【０００７】
上記のように構成した飲料注出装置においては、制御装置は、飲料注出手段により飲料を注出したときに圧力センサによって入力されるガスの計測圧力が所定時間内に所定圧力低下すると注出モードであると判断し、飲料注出手段により飲料を注出しないときに圧力センサによって入力されるガスの計測圧力が所定時間内に所定圧力低下しないと待機モードと判断するのが好ましく、このようにしたときには、制御装置により注出モードと待機モードとの判断をするに際し、飲料注出装置には新たにセンサ等の機器を追加することがなくコストアップとならない。
【０００８】
上記のように構成した飲料注出装置においては、制御装置は注出モードであるときに飲料温度センサにより計測された飲料の計測温度により適正圧力算出手段を実行するように制御し、待機モードであるときに飲料温度センサにより計測された飲料の計測温度により適正圧力算出手段を実行しないように制御するのが好ましく、このようにしたときには、適正圧力算出手段により飲料容器に供給するガスの適正圧力を算出するときに飲料温度センサにより計測される飲料は、飲料供給導管内に滞留した状態の飲料でなく飲料容器内から導出されたすぐの飲料であるので、適正圧力算出手段は飲料容器内の飲料の温度とほぼ同じ温度の飲料により適正圧力を算出することになる。これにより、待機モードの時間が長くなって飲料供給導管内の飲料が外気の影響を受けても、制御装置は適正圧力算出手段により飲料容器内の飲料の温度に応じた適正圧力を算出することができるようになる。
【発明を実施するための最良の形態】
【０００９】
以下に、本発明による飲料注出装置の一実施形態を図面を参照して説明する。本発明に係る飲料注出装置１０は、所定圧力のガス供給源（ガスボンベ）Ｇから飲料（ビール）を貯える密閉した飲料容器（ビール樽）Ｔに炭酸ガス（ガス）を供給するガス供給導管２０に設けられて飲料容器Ｔ内の炭酸ガスの圧力を計測する圧力センサ２２と、ガス供給導管２０に設けられて飲料容器Ｔに供給するガスの圧力を調整する圧力調整弁２１と、飲料容器Ｔから飲料を導出する飲料供給導管３０に接続されて飲料を注出する飲料注出手段（注出コック）４０と、飲料供給導管３０に設けられて飲料容器Ｔから導出される飲料の温度を計測する飲料温度センサ３１と、飲料温度センサ３１による飲料の計測温度から飲料容器Ｔに供給するガスの適正圧力を算出する適正圧力算出手段と、圧力センサ２２による飲料容器Ｔ内のガスの計測圧力が適正圧力算出手段により算出した適正圧力となるように圧力調整弁２１を開閉するように制御する調圧制御手段とを有する制御装置５０とを備えている。この飲料注出装置１０においては、制御装置５０は飲料注出手段４０により飲料を注出する注出モードであるときに飲料容器Ｔ内のガスの圧力が調圧制御手段により適正圧力となるように制御し、飲料注出手段４０により飲料を注出しない待機モードであるときに調圧制御手段を実行せずに圧力調整弁２１を閉弁するように制御している。
【００１０】
また、制御装置５０は、飲料注出手段４０により飲料を注出したときに圧力センサ２２によって入力されるガスの計測圧力が所定時間内に所定圧力低下すると注出モードであると判断し、飲料注出手段４０により飲料を注出しないときに圧力センサ２１によって入力されるガスの計測圧力が所定時間内に所定圧力低下しないと待機モードと判断している。また、制御装置５０は注出モードであるときに飲料温度センサ３１により計測された飲料の計測温度により適正圧力算出手段を実行するように制御し、待機モードであるときに飲料温度センサ３１により計測された飲料の計測温度により適正圧力算出手段を実行しないように制御している。以下に、この飲料注出装置１０を飲料容器Ｔとしてビールを貯えたビール樽Ｔを用いた実施形態により詳述する。
【００１１】
図１に示すように、この飲料注出装置１０内には、内部に冷却水を貯えて飲料を冷却する冷却水槽１１と、この冷却水槽１１の内壁に配置した蒸発器１２に冷媒を循環させる冷凍装置１３が収容されており、冷却水槽１１内に貯えた冷却水は冷凍装置１３を運転させることで蒸発器１２の周囲に形成される氷により冷却される。
【００１２】
図１に示すように、飲料注出装置１０は、炭酸ガスを充填したガスボンベＧ内の炭酸ガスをビール樽Ｔに供給するガス供給導管２０と、ビール樽（飲料容器）Ｔからビールを導出する飲料供給導管３０と、飲料供給導管３０から導出されるビールを注出する注出コック（飲料注出手段）４０とを備えている。なお、ガスボンベＧにはビール樽Ｔに供給する炭酸ガスの圧力を所定圧力（０．５ＭＰａ）に調整する調圧バルブＶが設けられている。
【００１３】
図１に示すように、ガス供給導管２０には、圧力調整弁２１と、圧力センサ２２とがガスが通る上流側から順に配設されている。ガス供給導管２０は、その流入端部２０ａにてガスボンベＧから炭酸ガスを送るガスホースＧａに接続され、その流出端部２０ｂにてビール樽Ｔに炭酸ガスを送るガスホースＧｂに接続されている。圧力調整弁２１は電磁開閉弁であって、その開弁時にガスボンベＧからビール樽Ｔへ送られる炭酸ガスの供給を許容し、その閉弁時にガスボンベＧからビール樽Ｔへの炭酸ガスの供給を遮断するものである。圧力センサ２２は、ビール樽Ｔに供給される炭酸ガスの圧力を測定することで、ビール樽Ｔ内の炭酸ガスの圧力を測定するものである。
【００１４】
図１に示すように、飲料供給導管３０は、その流入端部３０ａにてビール樽Ｔからビールを供給するビールホースＴａに接続され、その流出端部３０ｂにて注出コック４０に接続されている。この飲料供給導管３０には、飲料温度センサ３１と液切れセンサ３２がビールが流れる上流側から順に配設されている。飲料温度センサ３１は、ビール樽Ｔから供給されるビールの温度を検出するものであって、この飲料温度センサ３１の検出温度がビール樽Ｔ内のビールの温度とみなされる。液切れセンサ３２は電極式のセンサであり、一対の対向した電極間の電気抵抗値を測定することによりビール樽Ｔから飲料供給導管３０により導出されるビールの通過及び非通過を検出するものである。なお、液切れセンサ３２は、ビール等の飲料と水等の洗浄用水の各電気抵抗値の違いから、ビール等の飲料の通過及び非通過を検出するが、水等の洗浄用水の通過及び非通過を検出しないようになっている。飲料供給導管３０はその中間部分にてコイル形状の冷却管部３３として形成され、この冷却管部３３が冷却水槽１１内に収容されている。
【００１５】
注出コック４０は、図示しない弁機構を内蔵しており、レバー４１の操作によりビール樽Ｔ内から飲料供給導管３０を通して圧送されるビールを液状態と泡状態にて注出するノズル４２を有している。
【００１６】
飲料注出装置１０は、図２に示すように、圧力調整弁２１、各種センサ２２，２３，３１，３２に接続した制御装置５０を備えている。制御装置５０は、図４に示すフローチャートに示すプログラムを実行するマイクロコンピュータ５１と、図３に示すビール樽Ｔ内のビールの温度に応じてビール樽Ｔに充填する炭酸ガスの適正圧力を規定するマップを記憶したメモリ５２と、計時をするためのタイマ５３とを備えている。
【００１７】
また、制御装置５０は、メモリ５２に記憶させたマップに基づき、飲料温度センサ３１によるビールの計測温度からビール樽Ｔに供給する炭酸ガスの適正圧力を算出する適正圧力算出手段と、圧力センサ２２によるビール樽Ｔ内の炭酸ガスの計測圧力が適正圧力算出手段により算出した適正圧力となるように圧力調整弁２１を開閉するように制御する調圧制御手段とを備えている。例えばビール樽Ｔ内のビールの温度が２５度で適正圧力算出手段により適正圧力が０．２５ＭＰａと算出されているときに、調圧制御手段は、ビール樽Ｔ内の炭酸ガスの圧力を適正圧力として算出された０．２５ＭＰａとなるように、適正圧力の０．２５ＭＰａより少し低い（例えば０．０１ＭＰａ）適性圧力下限値として０．２４ＭＰａとなると圧力調整弁２１を開放し、ガスボンベＧから炭酸ガスが流入して適正圧力０．２５ＭＰａより少し高い（例えば０．０１ＭＰａ）適正圧力上限値として０．２６ＭＰａとなると圧力調整弁２１を閉止させて調圧している。
【００１８】
また、制御装置５０は、注出コック４０によりビールを注出したときに圧力センサ２２によって入力される炭酸ガスの計測圧力が所定時間内（例えば本実施形態においては２秒以内）に所定圧力（例えば本実施形態においては０．０２Ｍｐａ）低下すると注出コックからビールを注出する注出モードであると判断し、注出コック４０によりビールを注出しないときに圧力センサ２２によって炭酸ガスの計測圧力が上記所定時間内に上記所定圧力低下しないと注出コック４０からビールを注出しない待機モードと判断する判断手段を備えている。なお、待機モードであるときにも、ビール樽Ｔ内の炭酸ガスはビールに溶け込んでその圧力が徐々に低下するが、圧力の低下は例えば待機モードの当初０．３ＭＰａとなっていた圧力が２〜３時間経過したときに０．０１ＭＰａ低下する程度であり、上記の注出モードであると判断されるような短時間で急激な圧力の低下と異なるものである。
【００１９】
また、制御装置５０は、注出モードであるときに調圧制御手段により適正圧力となるように制御し、待機モードであるときに調圧制御手段を実行せずに圧力調整弁２１を閉弁するように制御する制御手段と、注出モードであるときに飲料温度センサ３１により計測されたビールの計測温度により適正圧力算出手段を実行するように制御し、待機モードであるときに飲料温度センサ３１により計測されたビールの計測温度により適正圧力算出手段を実行しないように制御する制御手段とを備えている。
【００２０】
上記のように構成した飲料注出装置１０の作動を説明する。飲料注出装置１０の図示しない電源スイッチをＯＮにすると、冷凍装置１３が起動して冷却水槽１１内の冷却水が冷却される。以下の説明においては予め注出モードを経てビール樽Ｔに供給する炭酸ガスの適正圧力が算出され、ビール樽Ｔ内の炭酸ガスの圧力が一度適正圧力に調圧された後の状態により説明する。
【００２１】
図４に示すように、制御装置５０は、先ずステップ１００とステップ１０１の処理を繰り返し実行する。制御装置５０は、ステップ１００において、圧力センサ２２によって入力される炭酸ガスの計測圧力が２秒以内に０．０２Ｍｐａ低下したか否かの判断をし、注出コック４０によりビールが注出されてないときにはビール樽Ｔ内の炭酸ガスの圧力は２秒以内に０．０２ＭＰａ低下することがないので「ＮＯ」と判定してステップ１０１に進めてビールを注出しない待機モードに設定し、再びステップ１００に戻す。この待機モードにおいては、調圧制御手段が実行されることがないので圧力調整弁２１は閉弁されたままである。
【００２２】
この待機モードである状態で、制御装置５０がステップ１００とステップ１０１の処理を繰り返し実行しているときに注出コック４０によりビールを注出すると、飲料供給導管３０からビールが導出されてビール樽Ｔ内の炭酸ガスの圧力が急激に低下する。これにより、圧力センサ２２によって制御装置５０に入力される炭酸ガスの計測圧力が２秒以内に０．０２ＭＰａ以上低下し、制御装置５０は、ステップ１００において「ＹＥＳ」と判定してステップ１０２に進めてビールを注出する注出モードに設定する。
【００２３】
注出モードとなると、制御装置５０は、先ずステップ１０３において、タイマ５３により注出モードとなった時間ｔのカウントを開始する。次ぎに、制御装置５０は、ステップ１０４において、調圧制御手段によりビール樽Ｔ内の炭酸ガスの圧力を適正圧力となるように制御する。詳述すると、ビール樽Ｔ内のビールの温度が２０℃で適正圧力が０．２５ＭＰａと算出されていれば、制御装置５０は、調圧制御手段により、ビール樽Ｔ内の炭酸ガスの圧力を適正圧力の０．２５ＭＰａより０．０１ＭＰａ低い適性圧力下限値の０．２４ＭＰａとなると圧力調整弁２１を開放し、ガスボンベＧから炭酸ガスが流入して適正圧力の０．２５ＭＰａより０．０１ＭＰａ高い適正圧力上限値の０．２６ＭＰａとなると圧力調整弁２１を閉止させて適正圧力０．２５ＭＰａとなるように調圧制御する。
【００２４】
次ぎに、制御装置５０は、ステップ１０５において、適正圧力算出手段によりビール樽Ｔ内の炭酸ガスの適正圧力を算出する。詳述すると、制御装置５０は、ビール樽Ｔから飲料供給導管３０に導出している状態、または導出されたすぐの状態で飲料温度センサ３１によって計測されたビールの計測温度からメモリ５２に記憶したマップに基づいて算出された炭酸ガスの適正圧力を算出し、この算出した適正圧力を以後の調圧制御手段による調圧に用いる。
【００２５】
次ぎに、制御装置５０は、ステップ１０６において、ステップ１０３からカウントを開始した時間ｔが注出モードに設定されてから所定時間として２分経過したか否かを判断し、時間ｔが２分経過していなければ「ＮＯ」と判定してステップ１０４及び１０５において上述した調圧制御手段と適正圧力算出手段による処理を繰り返し実行し、時間ｔが２分経過すれば「ＹＥＳ」と判定してステップ１００から始まる処理を再び実行する。
【００２６】
上記のように構成した飲料注出装置１０においては、制御装置５０は、注出コック４０によりビールを注出する注出モードであるときに調圧制御手段により適正圧力となるように制御し、注出コック４０によりビールを注出しない待機モードであるときに圧力調整弁２１を閉弁するように制御しているので、注出モードであるときにはビール樽Ｔ内のビールは調圧制御手段により適正圧力となるように制御された状態で注出コック４０から注出され、注出されたビールは適度な炭酸ガスを含んだものとすることができ、待機モードであるときには調圧制御手段が実行されずに圧力調整弁２１が閉弁されていてビール樽Ｔ内のビールには過剰に炭酸ガスが溶け込むことがないので、注出コック４０からビールを注出するときにノズル４２からビールが吹き出したり、泡過多な状態で注出されることがない。
【００２７】
上記のように構成した飲料注出装置１０においては、制御装置５０は、注出コック４０によりビールを注出したときに圧力センサ２２によって入力される炭酸ガスの計測圧力が所定時間として例えば２秒以内に所定圧力として０．０２ＭＰａ低下すると注出モードであると判断し、注出コック４０によりビールを注出しないときに圧力センサ２２によって入力される炭酸ガスの計測圧力が所定時間内として例えば２秒以内に所定圧力として０．０２ＭＰａ低下しないと待機モードと判断するのが好ましく、このようにしたときには、制御装置５０により注出モードと待機モードとの判断をするに際し、飲料注出装置１０には新たにセンサ等の機器を追加することがなくコストアップとならない。特に、注出モードと待機モードとを判断するのに飲料供給導管３０にビールの通過を検出するように流量センサ等を設けた場合には、飲料供給導管３０内から導出するビールはこの流量センサが障害物となって飲料供給導管３０内で発泡するおそれがあるが、上記のように構成した飲料注出装置１０においてはそのような問題は生ずることがない。また、圧力センサ２２によって入力されるビール樽Ｔ内の炭酸ガスの計測圧力が所定時間内に所定圧力低下するか否かにより注出モードと待機モードであることを判断した本発明は、飲料供給導管３０内でビールの液圧の変動を検出するよりも圧力の変動割合が大きく確実に検出することができるものである。
【００２８】
上記のように構成した飲料注出装置１０においては、制御装置５０は注出モードであるときに飲料温度センサ３１により計測されたビールの計測温度により適正圧力算出手段を実行するように制御し、待機モードであるときに飲料温度センサ３１により計測された飲料の計測温度により適正圧力算出手段を実行しないように制御するのが好ましく、このようにしたときには、適正圧力算出手段によりビール樽Ｔに供給する炭酸ガスの適正圧力を算出するときに飲料温度センサ３１により計測されるビールは、飲料供給導管３０内に滞留した状態のビールでなくビール樽Ｔ内から導出されたすぐのビールであるので、適正圧力算出手段はビール樽Ｔ内のビールの温度とほぼ同じ温度のビールにより適正圧力を算出することになる。これにより、待機モードの時間が長くなって飲料供給導管３０内のビールが外気の影響を受けても、制御装置５０は適正圧力算出手段によりビール樽Ｔ内の飲料の温度に応じた適正圧力を算出することができるようになる。
【００２９】
本実施形態の飲料注出装置１０は、注出コック４０のレバー４１を手動で操作する飲料注出装置であるが、本発明はこのようなこのような飲料注出装置に限られるものでなく、飲料注出装置は注出コック４０のレバー４１を自動で操作するコック駆動装置を備え、操作部の操作ボタンの入力によりこのコック駆動装置を駆動させてレバー４１の操作をさせる自動式の飲料注出装置に適用させても同様の作用効果を得ることができる。また、自動式の飲料注出装置に適用させたときには、上記のステップ１００において注出モードとなるか待機モードとなるかの判断を操作部の操作ボタンの入力の有無によって判断させても同様の作用効果を得ることができる。
【００３０】
本実施形態においては、飲料容器Ｔとしてビールを貯えたビール樽Ｔを用いて説明したが、本発明はこれに限られるものでなく、他の飲料として酎ハイや炭酸飲料を貯えた飲料容器を用いても同様の作用効果を得ることができる。
【図面の簡単な説明】
【００３１】
【図１】本発明による飲料注出装置の一実施形態を示す側断面図である。
【図２】図１に示した飲料注出装置における制御装置のブロック図である。
【図３】ビール樽内の炭酸ガスの適正圧力を示すグラフである。
【図４】制御装置により実行されるプログラムのフローチャートである。
【符号の説明】
【００３２】
１０…飲料注出装置、２０…ガス供給導管、２１…圧力調整弁、２２圧力センサ、３０…飲料供給導管、３１…飲料温度センサ、４０…飲料注出手段（注出コック）、５０…制御装置、Ｇ…ガス供給源（ガスボンベ）、Ｔ…飲料容器（ビール樽）。
【図１】
2010132341.tif 000003
【図２】
2010132341.tif 000004
【図３】
2010132341.tif 000005
【図４】
2010132341.tif 000006